(57)【要約】【課題】回転部材や回動部材を支持する軸に溝を設けて、この溝に係合する突部を有する脚部材に対して対応する一対の脚部材を、軸の反対側で軸に当接させて軸を固定するための、専用の取付け工具を必要とせず、かつ取扱い易くて再使用可能な、軸の固定方法をもたらす。【解決手段】両端が軸承される軸の固定方法において、一対の細長い脚部材の一端を軸に当接し、該脚部材の中間に位置する中央脚部材の一端を、軸の溝に係合して軸を固定保持する。【選択図】　　　　図１
2004052877.tif 000002
【特許請求の範囲】
【請求項１】
両端が軸承される軸の固定方法において、一対の細長い脚部材の一端を軸に当接し、該脚部材の中間に位置する中央脚部材の一端を、軸の溝に係合して軸を固定保持することを特徴とする軸の固定方法。
【請求項２】
前記一対の脚部材の一端に逆円弧状の当接面を形成し、前記中央脚部材の一端に逆円弧状に突出する突部を形成して前記軸の溝に係合させることを特徴とする請求項１記載の軸の固定方法。
【請求項３】
前記一対の脚部材の逆円弧状の当接面は、前記軸の横断面において前記軸の一方の側に当接し、前記中央脚部材の突部は前記軸の他方の側に位置することを特徴とする請求項２記載の軸の固定方法。
【請求項４】
前記一対の脚部材と中央脚部材は一端側が軸を挟み込むように配置され、他端側において一体的に固着されたことを特徴とする請求項２記載の軸の固定方法。
【請求項５】
前記一対の脚部材と中央脚部材をほぼＬ字形に折り曲げて一端側で前記軸を挟み込み、他端側で一体に固着されて、中央脚部材が一対の脚部材の間に位置されたことを特徴とする請求項２記載の軸の固定方法。
【請求項６】
前記中央脚部材の突部の幅は、前記軸の溝に嵌まる寸法であることを特徴とする請求項２記載の軸の固定方法。
【請求項７】
前記一対の脚部材の当接面は、前記軸の周面に対応する曲率にて逆円弧状に形成されて密着されることを特徴とする請求項２記載の軸の固定方法。
【請求項８】
一対の細長い脚部材と、該脚部材の中間に配置される中央脚部材とを有し、これら脚部材を一端にて一体的に固着し、前記一対の脚部材の他端に当接面を形成し、前記中央脚部材の他端に軸の溝に係合する突部を設けたことを特徴とする固定装置。
【請求項９】
前記一対の脚部材と前記中央脚部材とをほぼＬ字形となして一端において一体的に固着し、前記当接面を前記軸の周面と対応する面となし、前記突部を前記軸の溝に係合する形状に形成したことを特徴とする請求項８記載の固定装置。
【請求項１０】
前記一対の脚部材の当接面は、前記軸の周面に対応する曲率で逆円弧状に形成され、前記中央脚部材の突部は、幅が前記溝に嵌まる寸法であることを特徴とする請求項８記載の固定装置。
【発明の詳細な説明】
【０００１】
【発明の属する技術分野】
本発明は、軸の固定方法および固定装置、特に、固定部材に回転可能に軸承された軸の固定方法とその固定装置に関するものである。
【０００２】
【従来の技術】
従来、回転部材や回動部材を回転可能に軸承するための軸は、固定部材または軸受のインナーレースに圧入して固定するのが一般的である。
【０００３】
【発明が解決しようとする課題】
このような軸の固定の場合には、軸の端部は、例えばローレット加工されて固定部材または軸受のインナーレースに圧入されて固定されるが、このような圧入による軸の固定においては軸の端部のローレット加工や仕上げ加工等の寸法加工が不完全で十分でない場合が多く、軸が回転してしまうことが度々見られる。
【０００４】
従って、本発明の目的は、このような従来における問題を解決するために、回転部材や回動部材を支持する軸に溝を設けて、この溝に係合する突部を有する脚部材に対して対応する一対の脚部材を、軸の反対側で軸に当接させて軸を固定するための、専用の取付け工具を必要とせず、かつ取扱い易くて再使用可能な、軸の固定方法および固定装置を提供することにある。
【０００５】
【課題を解決するための手段】
上述の目的を達成するために、本発明に依れば、軸の固定方法は、両端が軸承される軸の固定方法において、一対の細長い脚部材の一端を軸に当接し、該脚部材の中間に位置する中央脚部材の一端を、軸の溝に係合して軸を固定保持することを特徴とする。
【０００６】
また、本発明の軸の固定方法は、前記一対の脚部材の一端に逆円弧状の当接面を形成し、前記中央脚部材の一端に逆円弧状に突出する突部を形成して前記軸の溝に係合させることを特徴とする。
【０００７】
さらに、本発明の軸の固定方法は、前記一対の脚部材の逆円弧状の当接面が前記軸の横断面において前記軸の一方の側に当接し、前記中央脚部材の突部が前記軸の他方の側に位置することを特徴とする。
【０００８】
さらにまた、本発明の軸の固定方法は、前記一対の脚部材と中央脚部材が一端側が軸を挟み込むように配置され、他端側において一体的に固着されたことを特徴とする。
【０００９】
本発明の固定方法は、前記一対の脚部材と中央脚部材をほぼＬ字形に折り曲げて一端側で前記軸を挟み込み、他端側で一体的に固着されて、中央脚部材が一対の脚部材の間に位置されたことを特徴とする。
【００１０】
また、本発明の軸の固定方法は、前記中央脚部材の突部の幅が、前記軸の溝に嵌まる寸法であることを特徴とする。
【００１１】
さらに、本発明の軸の固定方法は、前記一対の脚部材の当接面が、前記軸の周面に対応する曲率にて逆円弧状に形成されて密着されることを特徴とする。
【００１２】
さらにまた、本発明の固定装置は、一対の細長い脚部材と、該脚部材の中間に配置される中央脚部材とを有し、これら脚部材を一端にて一体的に固着し、前記一対の脚部材の他端に当接面を形成し、前記中央脚部材の他端に軸の溝に係合する突部を設けたことを特徴とする。
【００１３】
本発明の固定装置は、前記一対の脚部材と前記中央脚部材とをほぼＬ字形となして一端において一体的に固着し、前記当接面を前記軸の周面と対応する面となし、前記突部を前記軸の溝に係合する形状に形成したことを特徴とする。
【００１４】
また、本発明の固定装置は、前記一対の脚部材の当接面が、前記軸の周面に対応する曲率で逆円弧状に形成され、前記中央脚部材の突部が、幅が前記溝に嵌まる寸法であることを特徴とする。
【００１５】
本発明のその他の目的や特徴および利点は、添付図面に示される本発明の実施例に就いての以下の詳細な説明から明らかである。
【００１６】
【発明の実施の形態】
（実施例）
図１乃至図５には、本発明の軸の固定方法における一実施例が示されており、図１は、本発明の軸の固定方法を実施するための固定装置において、適用される軸に固定脚部材を挟み込む時の中央縦断面図で、図２は、軸に固定脚部材が挟み込まれた時の中央縦断面図、図３は、図２の挟み込み状態の時の軸の中心を通る水平断面図、図４は本発明の固定装置の一対の細長い脚部材の１つの立面図で、図５は本発明の固定装置の中央脚部材の立面図である。
【００１７】
本発明の軸の固定方法は、両端が軸承される軸の固定方法において、一対の細長い脚部材の一端を軸に当接し、これら脚部材の中間に位置する中央脚部材の一端を、軸の溝に係合して軸を固定保持することを特徴とするものである。
【００１８】
図示されるように、本発明の軸の固定方法を実施するための固定装置１０は、一対の細長い脚部材１１と、これら脚部材１１、１１の間に位置する中央脚部材１２とを有しており、一対の細長い脚部材１１、１１の一端が軸１に当接され、中央脚部材１２の一端の突部２０が、軸１の溝２に係合して軸１を回転しないように固定保持している。
【００１９】
このような本発明の軸の固定方法を実施するための固定装置１０においては、本発明が適用される軸１は、両端が固定部材３、４に支持されており、ほぼ中央に溝２が周面に一定の深さで形成されている。
【００２０】
図１、図３、図４および図５に示されるように、本発明の固定装置１０においては、一対の脚部材１１、１１と中央脚部材１２は、ほぼＬ字形の形状をなしていて、一方の上方の端部において互いに一体的に固着されており、他方の下方の端部において、脚部材１１は、逆円弧状の当接面１６を有していて軸１の外周面に当接されて接触されており、中央脚部材１２の端部は、脚部材１１の端部の当接面１６と軸１を間に挟んで対向して位置するように設けられていて、逆円弧状に突出する突部２０が軸１の溝２内に係合されるように設けられている。
【００２１】
従って、突部２０は、中央脚部材１２の対向する端部に突出して設けられており、かつ逆円弧状に、軸１の中心に向って突出するように形成されていて、軸１の溝２に嵌まるように係合する突部２０として形成されている。従って、このような突部２０は、幅と高さが、軸１の溝２の幅と深さとに対応して定められており、突部２０が溝２に嵌まり込む形状をなしていて、先端部の断面形状が円弧状に形成されるのが好適である。
【００２２】
図１、図３および図４に示されるように、本発明の固定装置１０の一対の脚部材１１、１１は、中央脚部材１２を間に挟んで間隔を置いて配置されており、ほぼＬ字形をなしていて、一端において中央脚部材１２と共に一体的に形成されるように固着されており、水平脚部１４と垂直脚部１５とを有するように形成されている。このような脚部材１１の一端には、軸１の周面と当接されて接触する当接面１６が形成されている。この当接面１６は軸の半径に対応する曲率をもって逆円弧状に形成されている。
【００２３】
図１、図３および図５に示されるように、本発明の固定装置１０の中央脚部材１２は、両側に脚部材１１が位置されるように配置されており、ほぼＬ字形をなしていて、一端において両側の脚部材１１と共に一体的に形成されるように固着されており、水平脚部１８と垂直脚部１９とを有するように形成されていて、他端に軸１の溝２内に係合する突部２０が設けられている。この突部２０は図示されるように中央脚部材１２の端部に逆円弧状に形成されていて、軸１の溝２に嵌まって係合できるように幅と突出高さとが溝２の幅と深さとに対応して定められており、溝２内に良好に嵌まって係合できるように形成されている。
【００２４】
このようにほぼＬ字形にそれぞれ形成された一対の脚部材１１、１１と中央脚部材１２は、中央脚部材１２が中央に位置するように間に挟み込んで両側に脚部材１１が位置されるように配置されて、上方の一端において一緒に一体的に形成されるように固着される。従って、一対の脚部材１１の当接面１６と、中央脚部材１２の突部２０とは図示されるように軸１を間に挟んで対向して配置されている。
【００２５】
このように構成された本発明の固定装置１０によって軸１を固定すためには、図３の平面配置になるように、軸１の溝２の位置に、本発明の固定装置１０の中央脚部材１２の突部２０が位置するように配置して、図１に示されるように軸１に対して上方に固定装置１０を配置し、軸１の溝２に、中央脚部材１２の突部２０が嵌め込まれるように上方から下方に向って矢印Ａ方向に押し降ろしていく。これによって、先ず、脚部材１１と中央脚部材１２の先端部が軸１の外周面に当接されて、次第に、脚部材１１と中央脚部材１２の先端部が左右の方向に押し広げられて矢印Ｂ方向に順次押し開かれていき、突部２０が下方の端から軸１の溝２に嵌まり込み始めるようになり、脚部材１１と中央脚部材１２の先端部間の最も狭い部分が通過するようになる。従って、このように脚部材１１と中央脚部材１２の先端部が押し嵌め込まれていって最大の幅にまで押し開かれた後は、次第に狭まるようになり、突部２０が軸１の溝２内に良好に嵌め込まれて、先端部間が狭まる方向に脚部材１１と中央脚部材１２が弾性によって押し狭まりながら、突部２０が軸１の溝２内にしっかりと嵌まり込み、やがて図２に示される状態に完全に嵌め込まれるようになる。
【００２６】
このように、図２に示される状態に本発明の固定装置１０の脚部材１１の先端部の当接部１６が軸１の外周面上に当接されて接触された状態となり、同時に中央脚部材１２の突部２０が軸１の溝２内に嵌め込まれて係合された状態となり、脚部材１１と中央脚部材１２が互いに弾性力によって対向する方向に押し合うために脚部材１１と中央脚部材１２によって軸１が挟み込まれた状態に保持され、しかもしっかりと固持されるので軸１を固定保持することができるようになる。
【００２７】
上述したように、本発明の固定装置１０においては、一対の脚部材１１と中央脚部材１２とが上方の端部において一体的に固着されていて、他方の下側の端部付近において片持ち梁状に弾性的に変位可能に構成されていて、軸１を挟み込むように弾性的に押圧して保持することができるために、脚部材１１と中央脚部材１２との互いに向かい合う方向の弾性的な挟み込みによって軸１がしっかりと固持され、加えて突部２０が軸１の溝２内に係合されることによって一層しっかりと固定できるようになる。
【００２８】
また、このような本発明の固定装置１０において、固定装置１０を軸１から取外すには、固定装置１０を軸１に対して上方に引張れば、脚部材１１の当接面１６と、中央脚部材１２の突部２０とがそれぞれ外方に押し広げられながら上方に引張られるために、脚部材１１と中央脚部材１２との先端部から軸１が外れて取外されるようになる。このような本発明の固定装置１０の取付けと取外しは容易にでき、何度でも固定装置１０を繰り返して用いることができる。なお、このような脚部材１１と中央脚部材１２の締め付け力を調整することによって軸１の固定保持状態を調整することができるので、軸１を回転可能な状態で支持することもできる。
【００２９】
従って、本発明の軸の固定方法によれば、一対の脚部材１１の先端部の当接面１６を軸１の外周面に当接し、中央脚部材１２の突部１２を軸１の溝１２に係合することによって軸１をしっかりと固定保持することができ、しかも脚部材１１と中央脚部材１２の先端部のばね機能によって軸１に対して弾性変位可能な状態に脚部材１１と中央脚部材１２の弾性力によって軸１が好適に保持されるようになる。
【００３０】
【発明の効果】
以上説明したように、本発明によれば、請求項１記載の軸の固定方法は、両端が軸承される軸の固定方法において、一対の細長い脚部材の一端を軸に当接し、該脚部材の中間に位置する中央脚部材の一端を、軸の溝に係合して軸を固定保持するので、軸を両側からしっかりと挟み込んで保持して固定することができ、軸の溝と中央脚部材の突部との係合によって好適に固定することができる。
【００３１】
本発明の請求項２記載の軸の固定方法は、前記一対の脚部材の一端に逆円弧状の当接面を形成し、前記中央脚部材の一端に逆円弧状に突出する突部を形成して前記軸の溝に係合させるので、軸を両側から挟み込んで保持することができ、しっかりと固定できる。
【００３２】
本発明の請求項３記載の軸の固定方法は、前記一対の脚部材の逆円弧状の当接面が前記軸の横断面において前記軸の一方の側に当接し、前記中央脚部材の突部が前記軸の他方の側に位置するので、軸を両側から挟み込んで保持してしっかりと固定することができる。
【００３３】
本発明の請求項４記載の軸の固定方法は、前記一対の脚部材と中央脚部材が一端側が軸を挟み込むように配置され、他端側において一体的に固着されるので、軸をしっかりと挟み込んで固定保持することができる固定手段を得ることができる。
【００３４】
本発明の請求項５記載の軸の固定方法は、前記一対の脚部材と中央脚部材をほぼＬ字形に折り曲げて一端側で前記軸を挟み込み他端側で一体に固着されて中央脚部材が一対の脚部材の間に位置されるので、一対の脚部材と中央脚部材とが協働して軸をしっかりと挟み込んで固定保持することができ、何度でも取外しが容易に使用することができる。
【００３５】
本発明の請求項６記載の軸の固定方法は、前記中央脚部材の突部の幅が、前記軸の溝に嵌まる寸法であるので、軸をしっかりと挟み込んで固定保持することができる。
【００３６】
本発明の請求項７記載の軸の固定方法は、前記一対の脚部材の当接面が、前記軸の周面に対応する曲率にて円弧状に形成されて密着されるので、軸を良好に固定保持することができる。
【００３７】
本発明の請求項８記載の軸の固定装置は、一対の細長い脚部材と、該脚部材の中間に配置される中央脚部材とを有し、これら脚部材を一端にて一体的に固着し、前記一対の脚部材の他端に当接面を形成し、前記中央脚部材の他端に軸の溝に係合する突部を設けているので、弾性をもった脚部材を用いることによって何度でも良好に取外しが容易にでき、軸をしっかりと挟み込んで固定保持することができると共に、回転可能な状態で固定することができる。
【００３８】
本発明の請求項９記載の固定装置は、前記一対の脚部材と前記中央脚部材とをほぼＬ字形となして一端において一体的に固着し、前記当接面を前記軸の周面と対応する面となし、前記突部を前記軸の溝に係合する形状に形成しているので、弾性を有した良好な脚部材として形成でき、軸を両側から挟み込む状態で押え込んで良好にしっかりと固定保持することができる。
【００３９】
本発明の請求項１０記載の固定装置は、前記一対の脚部材の当接面が、前記軸の周面に対応する曲率で逆円弧状に形成され、前記中央脚部材の突部が、幅が前記溝に嵌まる寸法であるので、何度でも取外しが容易にでき、かつ軸を良好にしっかりと挟み込んで固定保持することができる。
【図面の簡単な説明】
【図１】本発明の軸の固定方法を実施するための固定装置の一実施例を示すもので、適用される軸に固定脚部材を挟み込む時の中央縦断面図である。
【図２】軸に固定脚部材が挟み込まれた時の中央縦断面図である。
【図３】図２の挟み込み状態の時の軸の中心を通る水平断面図である。
【図４】本発明の固定装置の一対の細長いの脚部材の１つの立面図である。
【図５】本発明の固定装置の中央脚部材の立面図である。
【符号の説明】
１　　軸
２　　溝
３　　固定部材
４　　固定部材
１０　固定装置
１１　脚部材
１２　中央脚部材
１４　水平脚部
１５　垂直脚部
１６　当接面
１８　水平脚部
１９　垂直脚部
２０　突部
【図１】
2004052877.tif 000003
【図２】
2004052877.tif 000004
【図３】
2004052877.tif 000005
【図４】
2004052877.tif 000006
【図５】
2004052877.tif 000007